(57)【要約】      （修正有）【課題】第１流体流路側から第２流体流路側に向かって液体の所定の液圧以上で液体の流通が可能であるとともに比較的低圧力域での流量確保が可能となる薬剤供給回路用流体制御装置を提供する。【解決手段】中空の第１流体流路２１および第２流体流路２２と、第１流体流路２１および第２流体流路２２の間に形成された両流体流路の横断面積より大きな横断面積の中空部１３を有するハウジング部１と、第１流体流路２１が中空部１３に連絡する開口部に装着される本体３１と突出部３２を有する弾性材料で形成された弁部材３とで構成された薬剤供給回路用流体制御装置。【選択図】図１
2010012277.tif 000002
【特許請求の範囲】
【請求項１】
下記（１）〜（６）の要件を満足することを特徴とする薬剤供給回路用流体制御装置。
（１）中空の第１流体流路および第２流体流路と、前記第１流体流路および第２流体流路
の間に形成された前記両流体流路の横断面積より大きな横断面積の中空部を有するハウジ
ング部と、本体と突出部からなる弾性部材で形成された弁部材を有するものであること。
（２）前記弁部材の突出部は、（ａ）前記ハウジング部の中空部内で該ハウジング部の側
壁側に延出するとともに、その外縁部が前記中空部の内壁底面に着座して前記中空部の内
壁底面の間に腔部を形成し、（ｂ）第１流体流路から前記中空部への液流の通過は所定の
液圧以下では閉止するが、所定の液圧を超えると前記着座した外縁部は液圧によって変形
して前記中空部への液流の通過を可能とするものであり、かつ（ｃ）前記中空部側からの
液圧に対しては開口部を形成せず、前記中空部側からの液流の通過は阻止するものである
こと。
（３）前記弁部材本体は、（ａ）その一端側に前記突出部を有するとともに他端側は前記
第１流体流路の前記中空部の下部に開口する開口部内に挿入されて第１流体流路に係止す
る係止部を有し、かつ（ｂ）側部に前記腔部に向かって流体の流通を可能にするための連
通部を第１流体流路とで形成する凹部を少なくとも１個有するものであること。
（４）第１流体流路は、その内壁部に前記弁部材本体の係止部と係止する係止部を有する
ものであること。
（５）前記弁部材本体は、第１流体流路に係止された状態で張設状態にあること。
（６）ハウジング部が第１流体流路の末端が膨出して形成された第１ハウジング部材と、
第２流体流路の末端が膨出して形成された第２ハウジング部材とで構成されるとともに、
これら両ハウジング部材が接着剤を用いることなく嵌合して構成されたものであること。
【請求項２】
前記（２）−（ａ）の腔部が略半円球状であることを特徴とする薬剤供給回路用流体制御
装置。
【請求項３】
第２流体流路側の中空部の内腔形状が第１流体流路側から第２流体流路側に向かって順次
に縮径する略円錐形状のものであることを特徴とする請求項１または２に記載の薬剤供給
回路用流体制御装置。
【請求項４】
第１ハウジング部材の材質が第２ハウジング部材の材質に比較して熱収縮性が大きいもの
であることを特徴とする請求項１〜３のいずれかに記載の薬剤供給回路用流体制御装置。
【請求項５】
０．２Ｋｇｆ／ｃｍ2未満の流体の圧力（Ｆ）で前記弁部材が開口し、第１流体流路と中
空部とが流通可能となることを特徴とする請求項１〜４のいずれかに記載の薬剤供給回路
用流体制御装置。
【発明の詳細な説明】
【技術分野】
【０００１】
本発明は薬剤供給回路用流体制御装置（以下、単に流体制御装置とも言う）、特に輸液
療法に用いられる流体制御装置に関する。
【背景技術】
【０００２】
一般的薬液療法において、薬剤の収納された容器、例えば輸液バッグあるいは薬剤の充填
された注射器より、輸液回路を介して患者の血管等に薬剤が投与される。この輸液療法に
おいて、図６に示すように薬剤投与と同時に患者の血圧を測定して監視する場合がある。
すなわち、従来の輸液回路は、薬剤の充填された注射器４１と、注射器４１より薬剤を押
し出すシリンジポンプ４（薬剤供給部）と、薬剤を移送するためのチューブ部材７と、そ
の先端に設けられ、患者の血管等に穿刺し、薬剤を投与するための穿刺針９から構成され
ている。また、該輸液回路にはチューブ部材７の途中には、療法中に採血等が行うことが
可能なように設けられた混注部８が設けられている。該輸液回路においては、薬液を人体
に供給するチューブ部材７の途中より分岐した回路にトランスデューサー５が設けられ、
輸液回路内の圧力を電気信号に変換し、圧力値表示手段６に出力するよう構成されている
。これにより、医療従事者が投薬をしながら、圧力値表示手段６により患者の血圧を常時
監視することができる。しかしながら、このような血圧測定システムでは、実際の使用時
において、薬剤投与の際、チューブ部材内部の圧力がシリンジポンプ４の圧力の変動によ
る影響を受けるから正確な圧力の監視ができないといった欠点があった。
【０００３】
そこで、この欠点を解消するために該回路のトランスデューサー５とシリンジポンプ４
の途中に流れ制御装置を設ける輸液回路が提案されている。例えば特開平１−１７１５２
７号公報、あるいは特開平５−２３３０８号公報では、流体用入口通路と出口通路とを有
する共に、前記入口通路と出口通路とを夫々の通路より狭小な断面積を有する連絡通路を
介して連通し、前記連絡通路の前記出口通路側端部に弾性体を配設して前記弾性体により
前記出口通路側端部を閉塞し、入口通路から導入される流体が所定の圧力となる際に前記
弾性体が押圧されて当該出口通路側端部が開成し、前記入口通路から出口通路へと流体が
流通するよう構成したことを特徴とする流れ制御装置が開示されている。より詳細には、
前記流れ制御装置は内部に前記入口通路が形成され、先端部に膨出部を有する第１管状部
材と、前記第１管状部材に前記膨出部の周囲を囲むように嵌合され、前記膨出部との間で
前記出口通路を画成する第２管状部材と、前記膨出部に形成された前記連絡通路と、前記
膨出部に被冠された弾性材料よりなるシール部材とで構成される流れ制御装置である。
【０００４】
また、流れ制御装置としては、図７に記載した輸液回路のＸラインに用いられているよ
うな制御装置が知られている。この図７のＸラインで使用する流れ制御装置はトランスデ
ューサーと一体的に構成されたものである。該流れ制御装置は流体を流通させるよう通路
、および該通路の大きさを変化させることが可能なレバーが設けられている。前記流れ制
御装置は前記レバーの操作により、通常の使用時においては前記流れ制御装置の通路はご
く小径となり、また、フラッシング操作時には通路を大径とし、流路を増大させて使用す
るものである。ただ、図７のＸラインに使用した流れ制御装置では、レバー操作により通
路の径を変更するため、患者の血圧の圧力値に対する影響が大きく、例えば、乳幼児のよ
うな患者への負担が大きくなることが懸念される構成であり、さらに正確な圧力値を得る
ことが困難であった。
【０００５】
また、前記輸液回路において、療法中に回路内に設けられた混注部８より検査用に採血
を行う場合がある。この時、患者と混注部８との間のチューブ部材７の中に血液が残存す
ることになり、放置すれば凝血を招く原因となるので、患者側に返血する必要がある。こ
の返血操作（一般的にフラッシング操作という）はシリンジポンプ４を駆動させて、薬剤
の流量を増大させて、残存する血液を患者に移送することで行われる。このフラッシング
操作時においては、シリンジポンプ４の駆動により、一時的に回路内の圧力が上昇し、圧
力値表示手段６に反映する。また、医療業務従事者は、この圧力値表示手段６を監視して
いるため、フラッシング操作を終了した時に、速やかに患者の血圧を正確に反映した圧力
値にまで低下させる必要がある。しかしながら、上記各公報に記載された流れ制御装置で
は、フラッシング操作による回路内の圧力上昇が解消するまで時間を要するため、医療従
事者が患者の正確な血圧状態を把握するのが困難であるという問題があった。また、前記
公報に記載された流れ制御装置では、筒状のスカート部を有するシール部材が、その連絡
通路がその外周に開口した膨出部の外周面に密着するよう引張状態で設置される構成であ
るため、比較的低圧力域での流量確保が困難で、圧力を上昇させても、流量確保が困難な
構成であった。
【先行技術文献】
【特許文献】
【０００６】
【特許文献１】特開平１−１７１５２７号公報
【特許文献１】特開平５−２３３０８号公報
【発明の概要】
【発明が解決しようとする課題】
【０００７】
前記のような事情に鑑み、本発明の目的はより正確で安全な圧力測定が可能で、かつ輸
液回路等のフラッシング操作を終了した時に、速やかに患者の血圧を正確に反映した圧力
値を測定できるとともに、比較的低圧力域での流量確保が可能な薬剤供給回路用流体制御
装置、詳しくは所定の流体圧力により開口し、かつ付与される流体圧力に正確に追随して
流体の流通を行うことが可能で、更には装置の開口に伴う流体の流通が、流体が流入され
る側（出口側）の流体圧力に対して実質的に影響することがなく比較的低圧力域で流量確
保が可能な薬剤供給回路用流体制御装置の提供にある。
【課題を解決するための手段】
【０００８】
本発明は、下記（１）〜（６）の要件を満足することを特徴とする薬剤供給回路用流体
制御装置を提供することにより、上記の問題点を解決することができた。
（１）中空の第１流体流路および第２流体流路と、前記第１流体流路および第２流体流路
の間に形成された前記両流体流路の横断面積より大きな横断面積の中空部を有するハウジ
ング部と、本体と突出部からなる弾性部材で形成された弁部材を有するものであること。
（２）前記弁部材の突出部は、（ａ）前記ハウジング部の中空部内で該ハウジング部の側
壁側に延出するとともに、その外縁部が前記中空部の内壁底面に着座して前記中空部の内
壁底面の間に腔部を形成し、（ｂ）第１流体流路から前記中空部への液流の通過は所定の
液圧以下では閉止するが、所定の液圧を超えると前記着座した外縁部は液圧によって変形
して前記中空部への液流の通過を可能とするものであり、かつ（ｃ）前記中空部側からの
液圧に対しては開口部を形成せず、前記中空部側からの液流の通過は阻止するものである
こと。
（３）前記弁部材本体は、（ａ）その一端側に前記突出部を有するとともに他端側は前記
第１流体流路の前記中空部の下部に開口する開口部内に挿入されて第１流体流路に係止す
る係止部を有し、かつ（ｂ）側部に前記腔部に向かって流体の流通を可能にするための連
通部を第１流体流路とで形成する凹部を少なくとも１個有するものであること。
（４）第１流体流路は、その内壁部に前記弁部材本体の係止部と係止する係止部を有する
ものであること。
（５）前記弁部材本体は、第１流体流路に係止された状態で張設状態にあること。
（６）ハウジング部が第１流体流路の末端が膨出して形成された第１ハウジング部材と、
第２流体流路の末端が膨出して形成された第２ハウジング部材とで構成されるとともに、
これら両ハウジング部材が接着剤を用いることなく嵌合して構成されたものであること。
【０００９】
本発明の流体制御装置においては、第１流体流路２１より供給された流体は、弁部材３
の本体部３１に設けられた凹部３１１で形成される連通部３１３を流通し腔部３１２に到
達する。弁部材３は流通される流体の圧力により中空部１３方向に押圧される。この時、
その圧力が所定の圧力に達していれば、弁部材３は中空部１３方向に変形し、弁部材３の
突出部３２の縁端部と中空部基部１３３との間に間隙が生ずる。この間隙により第１流体
流路２１と中空部１３が連通することになり、流体の流通が可能となる。第１流体流路か
らの流体の圧力が減ずれば、弁部材３の自らの弾性力により、再び突出部３２の縁端部３
４と中空部基部１３３とが着設され、第１流体流路２１と中空部１３とが閉鎖され、一方
、中空部１３内の流体の圧力が上昇した場合であっても、第１流体流路側に流体が流通す
ることはない。すなわち、中空部１３内には、突出部３２が設けられてなり、突出部１３
の縁端部３４が中空部基部１３３と着設されているので、中空部１３内の圧力が高まった
場合、同時に突出部３２が押圧され、突出部１３の縁端部３４と中空部基部１３３と着設
する力がより増加することになるため、更に中空部１３と第１流体流路２１の閉鎖性が確
保されるからである。
【００１０】
前記流体制御装置は上述のように第１流体流路より流通される流体が所定の圧力に達し
た時に、流体制御装置に設けられた弁部材が押圧されることにより、弁部材と前記中空部
のハウジング壁面との間に第１流体流路から中空部に向かって流体の通過が可能な連通部
が形成され、また第２流体流路から中空部において流体圧力が高まったとしても、第２流
体流路側からの圧力では弁部材は開放されることがなく、これにより第２流体流路に連結
されたチューブ部材内の圧力によって干渉することがないために第２流体流路における正
確な圧力測定ができ、さらにシリンジポンプ等の薬剤供給装置より供給される流体の圧力
を、第１流体流路内に挿嵌された前記弁部材により緩衝させるため、第２流体流路側へと
流通される流体の圧力変動に影響を及ぼすこともほとんどない、という機能を奏すること
ができる。以下、本発明の流体制御装置の具体的な構成についてさらに詳述する。
【００１１】
本発明の流体制御装置は、例えば図１に示すように流体供給装置に接続される上流側の
第１流体流路２１と、下流側の第２流体流路２２と、前記第１、第２流体流路の間に位置
し、両流体流路の横断面積より大きな横断面積の中空部１３を形成するハウジング部１と
、前記第１流体流路２１内に設置された本体部３１および中空部１３内に延出して突出部
３２を形成し、その突出部３２により前記第１流体流路２１の前記中空部１３に連絡する
箇所を実質的に閉鎖する弁部材３より構成されている。
【００１２】
前記のように弁部材３の本体部３１が第１流体流路２１内に設置されるのは、第１流体
流路２１より流通される流体をより狭小な横断面積を有する連通部３１３に流通させるこ
とで、流体圧力を緩衝させ、流体圧力を減じさせるのに有効であるからである。また、突
出部３２を中空部３側に延出して設置させるのは、流体制御装置の流体の方向性（一方向
）を確保するのに好適であり、これにより中空部１３内の流体圧力が上昇しても、突出部
３２がその圧力により中空部基部１３３に押圧され、閉鎖性を確保している突出部３２の
縁端部３４と中空部基部１３３の着設が解除されることがないからである。前記突出部３
２は、その外縁部がハウシング部１の内壁面側に向って拡縁しているので、前記開口部が
形成される突出部縁端部３４全体も拡大し、これにより連通部を通過する液体の充分な流
量を確保することが可能となる。また第１流体流路２１と中空部３とが連絡する箇所に設
置される弁部材３の突出部３２は、その本体部側に空洞状の腔部３１２が形成されており
、これにより第１流体流路２１から連通部３１３を通じて弁部材３へと伝達される流体圧
力が十分にかつ円滑に付与される。
【００１３】
また、ハウジング部１内に設けられた中空部１３は、回路内の空気を除去する操作（プ
ライミング操作）を効率よく行うため第１、第２流体流路のいずれの横断面積より大きな
横断面積を有している。さらに前記中空部１３は第１流体流路２１と連絡する側の形状は
略円筒形状であるが、第２流体流路に連絡する側の中空部１３の形状は、第２流体流路２
２へ向かって順次縮径されてなる略円錐形状をなしているのが好ましい。このように中空
部１３の第２流体流路２２に連絡する側の形状を略円錐形状とすることにより、流体を流
通させた場合においても、滞留する箇所がなく、空気あるいは気泡が残存することがない
。
【００１４】
本発明の流体制御装置の組み立ては、第１、第２流体流路の横断面積が狭小であるため
、予め弁部材３を第１ハウジング部１１に配設した上で、第２ハウジング部１２を嵌合さ
せるのが製造工程上好ましい。第１ハウジング部１１の材質は、第２ハウジング部の材質
に比較してより可撓性の高い軟質材料、あるいは、より熱収縮性の高い材料を使用する。
これは、管状部材を接続させる際に、比較的硬度の高い材質の管状部材に該部材より可撓
性の高い材質の管状部材を外冠させた方が、両者の強固な結合力が得られるからである。
【００１５】
第１ハウジング部１１の材質として例えばポリプロピレン樹脂、第２ハウジング部１２
の材質としては、例えばポリカーボネート樹脂が挙げられるが、特に前記第１ハウジング
部１１の材質としてポリプロピレン、第２ハウジング部１２の材質としてはポリカーボネ
ート樹脂の組合せが、ハウジング部１の液密性と耐圧性が確実に確保可能となるので好ま
しい。さらに、通常このような医療器具は滅菌された後に使用される。その滅菌時の際に
医療器具は何らかの熱負荷がかかることになる。上記構成、特に第１ハウジング部材の材
質が第２ハウジング部材の材質に比較してより可撓性の高い材料であれば、その熱負荷に
より、外冠するための第１ハウジング部材の材質が熱収縮することによって、滅菌操作等
の熱処理操作を利用してより強固な結合力が得られるため、非常に有利である。
【００１６】
前記のように本発明の流体制御装置は、前記弁部材による流体の流通の方向制御（一方
向性）が可能であり、また、その方向制御（一方向性）を利用して一方向に流体を流通さ
せる場合、その流通に必要な弁部材の開口をする流体圧力の選択が任意に可能な流体制御
装置である。さらに、前記弁部材の流体の流通に必要な開口は比較的低圧力域においても
可能であり、更に加えて弁部材により形成される流通に必要な開口部を比較的大きな形状
を形成することが可能であるため、比較的低圧力域を含めて任意の開口圧力領域において
充分な流量確保が可能となる。
【００１７】
本発明の前記流体制御装置は、薬剤供給手段と、前記薬剤供給手段より延出する管状部
材内の圧力を測定するためのトランスデューサーと、前記トランスデューサーより出力さ
れた信号を圧力値として表示するための圧力値表示手段とを有するで構成される薬剤投与
と同時に患者の血圧を測定して監視する医療用回路、例えば輸液回路に使用することによ
り正確な圧力測定、すなわち血圧の測定が可能となる。
【００１８】
本発明の流体制御装置の流体制御機能を動物（イヌ）５３を用い、図７に示す薬液供給
回路を用いて試験した。
図７に示すように１つの動脈圧モニターラインを３分岐させ、１つの分岐ライン（Ｘラ
イン）にヘパリン加生食バッグ（３００ｍｍＨｇで常時加圧）８０と上述のようにトラン
スデューサーと一体的に構成された流れ制御装置８２（この流れ制御装置はレバー操作に
より、流路の流量を調節するものである）を装着した。他の２つのライン（ＹおよびＺラ
イン）は、シリンジポンプ８５と、本発明の流体制御装置（アンブレラＡ）８６と、トラ
ンスデューサーを設けて構成された。なお、本試験ではＹおよびＺラインの２つのライン
を用いたが、どちらか一本のラインでも、本試験の目的は達成される。
【００１９】
前記シリンジポンプ８５は、シリンジサイズが２０ｍＬで、流速０．５ｍＬ／ｈで流体
を供給する。返血時における波形の変化の観察は、アンブレラＡ８６を設けたラインＹお
よびＺはシリンジポンプ８５の早送り、また、流れ制御装置８２を設けたラインＸはフラ
ッシュを行い、前記シリンジポンプ８５の早送りと前記フラッシュ装置８２のフラッシュ
によって生じる血圧波形の比較は、ラボビュー８４に表示される画像を一旦停止し、各波
形を比較することによって、返血時における返血のために負荷される圧力の緩衝作用の試
験を行った。その試験結果は、返血時において図８のライン２に示すようにアンブレラＡ
を用いたシステムでは返血のための早送り時ほとんど圧力が変化しないのに対し、従来法
は加圧バッグの影響をもろに受け圧力が大きく変動した。以上の試験結果から、本発明の
薬剤供給回路用流体制御装置であるアンブレラＡを用いたシステムは、図８のライン１に
示すように患者の血圧を正確に測定できるだけでなく、患者への負荷が少なく、特に乳幼
児の場合の流体制御装置として有用と考えられる。
【図面の簡単な説明】
【００２０】
【図１】本発明の流体制御装置の縦断面図で、（Ａ）は該流体制御装置に設けられた弁部材の凹部に沿った縦断面図で、（Ｂ）は上記図（Ａ）の断面方向より９０°回転した際の縦断面図である。
【図２】（Ａ）は本発明の流体制御装置に用いる弁部材の正面図、（Ｂ）は前記（Ａ）の本体部側より見た底面図である。
【図３】（Ａ）は本発明の流体制御装置の弁部材の正面拡大図、（Ｂ）は本発明の流体制御装置の第１ハウジング部の断面拡大図である。
【図４】本発明の流体制御装置を組込んだ血圧測定システムの概略図である。
【図５】本発明の流体制御装置における圧力負荷による流量変化を示したグラフである。
【図６】従来の血圧測定システムの概略図である。
【図７】本発明の流体制御装置の流体制御機能についての試験に使用した薬液供給の回路を示す図である。
【図８】図７の薬液供給の回路を使用した流体制御機能の試験結果を示す図である。
【発明を実施するための形態】
【００２１】
以下、本発明の実施の形態について図面を参照しながら説明する。
実施の形態１
図１に示すように前記第１流体流路２１を構成する管体は、その端部において膨出して
第１ハウジング部１１を形成し、また第２流体流路を構成する管体は、その端部において
膨出して第２ハウジング部１２を形成する。また、ハウジング部１は、第２ハウジング部
１２が前記第１ハウジング部１１内に内包するように嵌合されて構成され、かつ前記第１
ハウジング部１１の材質はポリプロピレン樹脂、第２ハウジング部１２の材質はポリカー
ボネート樹脂である。
【００２２】
更に前記第１ハウジング部１１と第２ハウジング部１２は、各々凹凸形状をなした嵌合
部１１１、１２１が形成されており、これら嵌合部同士を係合させることにより、前記両
ハウシングが離脱することがなく、流体制御装置内の気密性及び耐圧性も確保できる。
弁部材３の本体部３１は、第１流体流路中に挿入された円筒状部材で構成され、該円筒状
部材の外周面には、略半円形状の凹部３１１が本体部の長さ方向全体に亘って対向する位
置の２箇所に設けられている。また、この凹部３１１は第１流体流路２１からの流体が流
通される連通部３１３を形成する。また、弁部材３の突出部３２の内部には、上記連通部
３１３と連絡する空洞状の腔部３１２が形成されている。なお、本実施の態様においては
、前記凹部３１１を２箇所に設けた実施形態を示したが、本発明はこの実施形態のみに制
限されるものではない。例えば、凹部３１１が１箇所のみに設けられていても、２箇所以
上に設けられた構成であっても、本発明の効果は十分に達成可能である。
【００２３】
流体は第１流体流路２１からの液体は前記連通部３１３を通過し、腔部３１２に到達す
る。この時の流体圧力が腔部３１２に付与され、弁部材３の突出部３２は中空部側に押圧
され、この押圧により第１流体流路２１の中空部３２側の開口部に着設して閉鎖性を確保
している突出部３２の縁端部３４と中空部基部１３３の間に間隙が生じ、開口部が形成さ
れ、流体は中空部３２側に流通することになる。弁部材３はその本体部側に空洞状の略半
円球状の腔部３１２が形成されており、これにより第１流体流路２１から連通部３１３を
通じて弁部材３へと伝達される流体圧力が付与される面積が増加し、かつ前記連通部に導
入された液体を液体が流通する開口部に容易に導くことができる。
【００２４】
前記第１流体流路２１の中空部１３に連絡する箇所に設けられた前記突出部の縁端部か
ら前記ハウシング部１の内壁面までの長さ（図１のｂ）は、１．５ｍｍから５ｍｍである
ことが好ましい。前記長さが１．５ｍｍ未満では中空部１３内の容積が小さくなり、本発
明の流体制御装置を用いた輸液回路を使用する前に行う薬剤を充填させて回路内の空気を
除去する操作（プライミング操作）に際して、効率良く空気あるいは気泡を除去すること
が困難になるためである。また、逆に前記距離ｂが５ｍｍを超えると中空部１３の容積が
大きくなり、装置全体が大きくなるばかりか、不必要なプライミング量が増えることにな
るためである。
【００２５】
また、本実施形態の弁部材３は、図１に示すようにその縁端部３４が第１流体流路を構
成する膨出部の中空部基部１３３に着座しているため、所定の液圧以下では第１流体流路
２１と中空部１３との間に液体流通に対する閉鎖性が確保される。さらに、前記弁部材３
の突出部３２の形状は、第２流体流路側に向かって円弧状部を有する略半円球形状を有す
るものであるので、これにより前記第１流体流路から中空部を通過して第２流体流路に向
う液体を円滑かつ十分に前記液体が通過する前記開口部の付近に導くことができる。以上
述べたような弁部材３の機能により、本発明の流体制御装置は付与される所定の流体圧力
に正確に追随して開口および閉止が可能で、かつ第１流体流路２１からの低圧の液圧によ
っても液流の通過が可能な開閉制御機構が得られることになる。
【００２６】
前記弁部材３は、その本体部３１の突出部３２とは反対側の端部には係止部３３が形成
され、また、前記第１流体流路２１内には前記係止部３３と係合可能な係止部２１１とが
形成されている。そして、前記両係止部を係合させることより、弁部材３をハウシング１
に容易に離脱することなく装着できるだけでなく、この係止構造を利用して弁部材３の中
空部基部１３３に対する着設力を調整することができ、これにより前記弁部材３の確実な
液流閉鎖性が確保することが可能となる。すなわち、図３に示したように本体部３１の長
さ（ｃ）と第１流体流路２１の係止部から中空部基部１３３までの長さ（ｄ）は、（ｃ）
＜（ｄ）となるように構成されているが、（ｃ）＜（ｄ）という要件を満足することによ
り、弁部材３の中空部基部１３３に対する着設力が付与され、弁部材３が第１ハウジング
部１１の長さ方向に張設され、より確実な閉鎖性が確保することが可能となる。
【００２７】
前記長さ（ｃ）と長さ（ｄ）の関係は使用用途に応じて適宜選択可能である。例えば長
さ（ｃ）と長さ（ｄ）との差が小さければ、弁部材３の着設力は低下する一方で、弁部材
３と中空部基部１３３との間に開口部を形成するために要する圧力は低くて済むし、逆に
長さ（ｃ）と長さ（ｄ）との差が大きければ、弁部材３の着設力は強固になるが、弁部材
３と中空部基部１３３との間に開口部を形成するために要する圧力は比較的高い圧力が必
要となるからである。このように前記長さ（ｃ）と長さ（ｄ）の関係を適宜選択すること
により、流体圧力０．２Ｋｇｆ／ｃｍ２未満というような低圧領域において、かつ第２流
体流路の圧力に影響を与えないように緩衝作用を発揮しながら第１流体流路からの第２流
体流路への流体を流通させることが可能な流体制御装置を提供することができる。
【００２８】
前記弁部材３は、弾性部材、例えば、天然ゴム、イソプレンゴム、ブタジエンゴム、ス
チレン−ブタジエンゴム、ニトリルゴム、クロロプレンゴム、ブチルゴム、アクリルゴム
、エチレン−プロピレンゴム、ヒドリンゴム、ウレタンゴム、シリコンゴム、フッ素ゴム
などのような各種ゴム材料や、スチレン系、ポリオレフィン系、ポリ塩化ビニル系、ポリ
ウレタン系、ポリエステル系、ポリアミド系、ポリブタジエン系、トランスポリイソプレ
ン系、フッ素ゴム系、塩素性ポリエチレン系などの各種熱可塑性エラストマー等の材質よ
り構成されるのが好ましい。特に前記弁部材３は、シリコンゴムより構成されるのが好ま
しい。シリコンゴムは弾性力を有するので該弁部材に必要な弾性力を充分に得ることがで
きるし、またシリコンゴムは薬剤耐性においても優れているからである。医療用器具にお
いては、接着剤のような有機溶剤を用いると、薬剤等に溶出する虞があり、安全性が確保
できないので好ましくないが、本実施の態様の流体制御装置は、接着剤を用いることなく
単に第１ハウジング部材１１と第２ハウジング部材１２との嵌合によって構成されている
ので、接着剤などを使用しないという点からも人体にとって好ましい流体制御装置である
。
【００２９】
実施の形態２
図４は本発明の流体制御装置を組込んだ血圧測定システムの概略図であり、輸液療法を
施しながら、同時に血圧測定を行うが、以下に述べるように輸液療法回路に本発明の流体
制御装置を設けることにより、該流体制御装置を設けることによる前記回路内の圧力変動
が生じないとともに、前記回路内を流れる流体の圧力をより正確に検出可能であり、また
フラッシング操作を短時間で完了させることができ、さらには回路に設けた警報装置のい
ずれの警報設定レベルにも容易に対応することができる。
【００３０】
患者は注射器４１よりシリンジポンプ４の駆動により送出された薬剤を、チューブ部材
７とその先端に設けられた穿刺針を介して血管等に投与される。この時、チューブ部材７
の途中より分岐したラインを設け、該ラインにトランスデューサー５を設置し流体の圧力
を測定する。このトランスデューサー５にて検出された圧力の信号は、接続された圧力値
表示装置６にて圧力値の波形として可視化され、医療従事者が監視することが可能となる
。また、流体制御装置１０がトランスデューサー５よりも上流側（シリンジポンプ４に対
して）の回路内に設置されている。この流体制御装置１０を設けることにより、より正確
な圧力測定が可能となる。すなわち、前記流体制御装置１０は回路の上流側に位置するシ
リンジポンプのような薬剤の供給装置による圧力上昇を減衰させることが可能であり、下
流側（トランスデューサー５が設けられた回路側）の流体の圧力に対して、実質的な影響
を及ぼすことがないし、また流体制御装置１０は、一方向にしか流体の流通が行われない
ことを特徴としているため、流体制御装置１０が設けられた回路内の流体圧力が該流体制
御装置によっても干渉されることがないので、圧力変動が生じないからである。
【００３１】
一方、療法中に回路内に設けられた混注部８より検査用に採血を行う場合がある。この
時、穿刺針９と混注部８との間のチューブ部材７の中に血液が残存することになり、放置
すれば凝血を招く原因となるので、患者側に返血する必要がある。この返血操作（一般的
にフラッシング操作という）はシリンジポンプ４を比較的高い流速になるよう駆動（早送
り操作）させて、残存する血液を患者に移送することで行われる。通常、シリンジポンプ
４の早送り操作では０．３Ｋｇｆ／ｃｍ2の圧力を負荷して行われるが、前記流体制御装
置１０は流量を多く確保することができるので、前記フラッシング操作を短時間で完了さ
せることができるので非常に有利である。
【００３２】
すなわち、図５は、本発明の流体制御装置の圧力負荷による流量変化を示したグラフで
あるが、シリンジポンプ４の早送り操作で生じる０．３Ｋｇｆ／ｃｍ2の圧力においては
、本発明の流体制御装置は８０ｍｌ／ｍｉｎ以上の流量確保が可能である。ただ、このよ
うな流量を確保してフラッシング操作を行うと、このフラッシング操作に伴って、下流側
の流体圧力が若干上昇するが、フラッシング操作を完了後、シリンジポンプ４の早送り操
作で生じる圧力を通常使用時の圧力にまで低減すると、本発明の流体制御装置はそれに追
随して、流量を急速に減じさせることが可能であるため、下流側の圧力変動に影響を及ぼ
すことがほとんどない。また、このフラッシング操作が短時間で済むといった利点により
、フラッシング操作による下流側の上昇する時間も短時間で済むことになり、医療従事者
が正確な圧力監視する上で、非常に有利である。
【００３３】
通常の使用時においては、シリンジポンプには流路の閉塞が生じた場合の検知手段として
、所定の圧力に達すると、警報を発する機構を有している。一般的にシリンジポンプが検
知する圧力の設定は可変であるが、通常使用されるシリンジポンプの警報設定レベルの最
低値は、０．２Ｋｇｆ／ｃｍ2程度であるため、流体制御装置の通水圧が０．２Ｋｇｆ／
ｃｍ2を越えたものであれば、警報を発してしまうことになり好ましくない。しかしなが
ら、前記のような０．２Ｋｇｆ／ｃｍ2未満程度の低圧力（通水圧）の警報設定圧力を要
求される場合であっても、流体制御装置として０．２Ｋｇｆ／ｃｍ2未満程度の低圧力（
通水圧）のものを使用すれば、警報が発せられる前に、流体制御装置の弁部材が開口し、
充分な量の流体の流通が可能となるよう構成されているので、前記のような警報を発する
ことなく、充分な量の流体を流通させることが可能であるし、かつ警報を発する機構によ
る異常状態の発生の有無の検知を確実に行うことができるため、安全な療法（本実施例の
場合、輸液療法）を実施するために有効である。ただし、本発明の流体制御装置の通水圧
は、０．２Ｋｇｆ／ｃｍ2より低水圧あるいは高水圧であってもよく、例えば０．１〜０
．５Ｋｇｆ／ｃｍ2程度のものが挙げられる。
また、本実施例の場合、輸液療法を好ましい態様として説明したが、本発明の前記流体制
御装置は他の療法の薬剤供給回路においても同様の効果を奏することができる。
【産業上の利用可能性】
【００３４】
本発明の流体制御装置は、所定の圧力で開口し流体を流通させることができ、かつ開口
するために必要な流体の圧力の設定が、比較的容易な流体制御装置である。また、本発明
の流体制御装置は、付与される圧力が比較的低い圧力であっても流量確保が可能であり、
その付与される圧力に正確に追随して流体の流通を行うことが可能で、このため比較的低
圧力域での流量制御が可能となり、装置の開口に伴う流体の流通が、流体が流入される側
（出口側）の流体圧力に対して実質的に影響を及ぼすことがないといった効果を奏する。
また、本発明の流体制御装置により、一層正確で、安全な圧力測定が可能となる流体制御
装置あるいは本流体制御装置を用いた血圧測定システムを提供することが可能となる。
【符号の説明】
【００３５】
１                ハウジング部
１１              第１ハウジング部
１１１            嵌合部
１２              第２ハウジング部
１２１            嵌合部
１３              中空部
１３１            円筒部
１３２            略円錐部
１３３            中空部基部
２１              第１流体流路
２１１            係止部
２２              第２流体流路
３                弁部材
３１              本体部
３１１            凹部
３１２            腔部
３１３            連通部
３２              突出部
３３              係止部
３４              突出部縁端部
４                シリンジポンプ
４１              注射器
５                トランスデューサー
６                圧力値表示手段
７                チューブ部材
８                混注部
８０              ヘパリン加生食バッグ
８２              トランスデューサーと一体的に構成され、かつレバー操作により流
路の流量を調節する流れ制御装置
８３              試験に用いた動物（イヌ）
８４              ラボビュー
８５              シリンジポンプ
８６              薬剤供給用流体制御装置（アンブレラＡ）
８７              トランスデューサー
９                穿刺針
１０              流体制御装置
【図１】
2010012277.tif 000003
【図２】
2010012277.tif 000004
【図３】
2010012277.tif 000005
【図４】
2010012277.tif 000006
【図５】
2010012277.tif 000007
【図６】
2010012277.tif 000008
【図７】
2010012277.tif 000009
【図８】
2010012277.tif 000010